(57)【要約】【課題】片手で扱うことができ、コンパクトな大きさで、外乱光に影響され難く、被検査指が挟まれるという不快感を与えず、かつ、被検査指の太さに影響されず、安定した測定が可能な携帯式医療用測定装置を提供する。【解決手段】被検査者の中指または薬指の掌側に当接するように形成される溝（１１ｅ）と、両隣の指の甲側にそれぞれ当接するように形成される左翼部（１１ａ）および右翼部（１１ｂ）とが、一体に形成され、溝（１１ｅ）の面上に配置される発光部および受光部からなるセンサ（２ａ）、（２ｂ）を備え、左翼部（１１ａ）および右翼部（１１ｂ）の片方かまたは両方に、測定結果を表示する表示器（３）、（４）を備える。センサにより、少なくとも動脈血酸素飽和度を測定する。【選択図】        図１
2004351107.tif 000002
【特許請求の範囲】
【請求項１】
被検査者の中指または薬指のいずれかの指の掌側に当接するように形成される溝と、前記指の両隣の指の甲側にそれぞれ当接するように形成される左翼部および右翼部とが、一体に形成され、前記溝の面上に配置される発光部および受光部からなるセンサを備え、前記左翼部および右翼部の片方または両方に、測定結果を表示する表示器を備える携帯式医療用測定装置。
【請求項２】
前記センサにより、少なくとも動脈血酸素飽和度を測定する請求項１に記載の携帯式医療用測定装置。
【請求項３】
溝にメインスイッチを備え、溝に当接させた指で操作を可能にした請求項１に記載の携帯式医療用測定装置。
【請求項４】
測定値が、予め設定された数値範囲を逸脱する時に、音または音声を発する音声装置を備える請求項１から３のいずれかに記載の携帯式医療用測定装置。
【発明の詳細な説明】
【０００１】
【発明の属する技術分野】
本発明は、動脈血酸素飽和度や脈拍数等の測定装置に関し、特に、操作が容易で、測定に個人差の生じない携帯式医療用測定装置に関する。
【０００２】
【従来の技術】
従来は、動脈血酸素飽和度や脈拍数等を測定するための医療用の測定装置として、表示器を有する測定装置本体に、被検査体である指に装着するセンサが内臓されたプローブを、コードで繋いだ測定装置が一般的であった。さらに、近年、測定回路を構成する素子の小型化に伴い、たとえば、特表平１０−５０２２６８号公報や、特開２００１−１７４０４号公報に示されるように、センサと表示器とが一体になった独立型の測定装置が開発されている。
【０００３】
特表平１０−５０２２６８号公報に記載された測定装置では、第１ハウジングおよび第２ハウジングを、スプリングで付勢して、離接可能に一体化し、２つのハウジングにより被検査指を狭持し、いわゆるクリップ式構造が採用している。センサは、第１ハウジングに取り付けられた発光体と、第２ハウジングに取り付けられた受光体とからなり、被検査指を透過した光を測定することにより、動脈血酸素飽和度や、脈拍数等を計測可能とする。測定結果は、第１ハウジングに取り付けられた表示器に示される。
【０００４】
特開２００１−１７４０４号公報に記載された測定装置では、ハウジングに指挿入孔が開けられ、指挿入孔に挿入した指と、親指とにより本体を保持し、かつ、親指で操作できるメインスイッチを本体に備え、いわゆる指挿入式構造を採用している。一対の発光体と受光体とから構成されるセンサは、指挿入孔の上部と下部とに対峙して取り付けられ、被検査指を透過した光を測定することにより、動脈血酸素飽和度や脈拍数等を測定することができる。測定結果は、ハウジングに取り付けられた表示器に示される。
【０００５】
しかしながら、いわゆるクリップ式構造では、被検査指への装着をスプリングの付勢によって行っており、スプリングの付勢力の設定次第では、指の太さや状態により圧迫感を感じる可能性もあり、快適な測定作業を行うことができないという問題点があった。
【０００６】
また、いわゆる指挿入式構造では、指挿入孔の大きさにより、測定できる指の太さが限られてしまい、また、指挿入孔に被検査指を挿入する構造上、センサと被検査指との間に、間隙ができることから、外乱光に影響され、安定した測定ができないという問題があった。また、表示器がハウジングの片面に位置するため、一方の手で測定した場合には、表示器が見えて、他方で手で測定した場合には、表示器が見えなくなるという問題があった。さらに、指挿入式のため、被検査者が意図的に保持しなければならないという問題もあった。
【０００７】
さらに、クリップ式構造および指挿入式構造の双方とも、指先部分で測定を行う構造となっているために、被検査指にマニキュアが塗られていたり、マニキュア以外のネールアートが施されていたり、爪が長いなどのように、障害がある場合には、測定が困難になるという問題があった。
【０００８】
【特許公報１】
特表平１０−５０２２６８号公報
【０００９】
【特許公報２】
特開２００１−１７４０４号公報
【００１０】
【発明が解決しようとする課題】
本発明は、片手で扱うことができ、コンパクトな大きさで、外乱光に影響され難く、被検査指が挟まれるという不快感を与えず、かつ、被検査指の太さに影響されず、安定した測定が可能な携帯式医療用測定装置を提供することを目的とする。
【００１１】
【課題を解決するための手段】
本発明の携帯式医療用測定装置は、被検査者の中指または薬指のいずれかの指の掌側に当接するように形成される溝と、前記指の両隣の指の甲側にそれぞれ当接するように形成される左翼部および右翼部とが、一体に形成され、前記溝の面上に配置される発光部および受光部からなるセンサを備え、前記左翼部および右翼部の片方かまたは両方に、測定結果を表示する表示器を備える。
【００１２】
したがって、全体の形状は、側面から見て波型ないしは両翼を備えた逆Ｗ字状に形成される。
【００１３】
前記センサにより、少なくとも動脈血酸素飽和度を測定する。
【００１４】
さらに、溝に載せた指で測定装置を操作できるように、溝にメインスイッチを備えることが望ましい。
【００１５】
また、測定値が、予め設定された数値範囲を逸脱する時に、音または音声を発する音声装置を備えることが望ましい。
【００１６】
【発明の実施の形態】
図１は、本発明に係る携帯式医療用測定装置の１実施例を示しており、それおぞれ（ａ）は斜視図、（ｂ）は平面図、（ｃ）は背面図である。図１（ｂ）の中央の濃い部分（１１ｅ）は、図面の奥側に凹んでおり、図１（ｃ）の中央の濃い部分（１１ｆ）は、図面の手間側に突出している。図２は、制御回路のブロック図であり、図３（ａ）は、左手で測定する状態を示す斜視図である。
【００１７】
図示した本発明の携帯式医療用測定装置の実施態様では、左手で測定するのであれば、中指の付け根付近の掌側に当接するように形成される溝（１１ｅ）と、薬指に載せられるように形成される左翼部（１１ａ）と、人差し指に載せられるように形成される右翼部（１１ｂ）とが、一体に形成され、前記溝（１１ｅ）の面上に配置される発光部および受光部からなるセンサ（２ａ）、（２ｂ）を備え、前記左翼部（１１ａ）および右翼部（１１ｂ）の両方に、測定結果を表示する表示器（３）、（４）を備える。さらに、溝（１１ｅ）に載せた指で操作可能となるように、溝（１１ｅ）の最深部に自動復帰式の押圧式メインスイッチ（１４）を備える。
【００１８】
具体的な構造としては、図１に示すように、細長い板状で中央にＶ形あるいはＵ形の窪みを設けた形状に、表示器（３）、（４）、センサ（２ａ）、（２ｂ）、を備えた正面側のケーシングと、背面側のケーシングを組み合わせる。背面側のケーシングの一端は、作動電源となる電池を装填したり、取り出したりするために、内部の電池ホルダーを覆う蓋（１１ｃ）であり、該蓋（１１ｃ）は、指で容易に着脱可能な公知の構造で取り付けられる。さらに、背面側のケーシングの他端に、ストラップ（手紐）用の取付け部（１１ｄ）を形成する。該取付け部（１１ｄ）は、同じ面に両端が開口する貫通孔でよい。この取付け部（１１ｄ）にストラップを取り付けることで、手や首にぶら下げて簡単に持ち運ぶことができ、あるいは、ストラップによりフック等に下げて保管することが可能である。
【００１９】
内部には、図２にブロック図を示した制御回路を内蔵する。制御回路は、音声装置（６）、ＲＯＭ（７）、前記表示器（３）、（４）、前記センサ（２ａ）、（２ｂ）、前記メインメインスイッチ（１４）、電源部と、これらを制御する制御装置（５）とからなる。また、側面に、制御装置（５）に接続した情報出力用の出力端子（１８）を配置してもよい。なお、メインスイッチ（１４）として、押圧式の代わりに、指の近接あるいは接触を検知する公知技術のセンサを設けてもよい。さらに、他の指で操作可能な位置に設けてもよい。
【００２０】
前記出力端子（１８）を介して、外部のコンピュータやプリンタに、測定情報を出力可能なソフトウェアを制御回路に備える。これにより、外部のコンピュータで日々の測定結果を蓄積することにより、長期にわたる健康管理情報として利用することも可能である。また、外部のプリンタにより、測定結果を印刷した紙を記録として保管することもできる。このように測定情報を出力することで、利用範囲を広げることが可能となる。
【００２１】
センサ（２ａ）、（２ｂ）は、発光部と受光部とが一組として構成され、被検査対象指（Ｆ１）に照射し反射したり、透過した光の変化を検知する。発光部としては、たとえばＬＥＤ（Ｋｉｎｇ  Ｂｒｉｇｈｔ社製、型式ＫＡ）を採用でき、受光部としては、たとえばフォトダイオード（モリリカ社製、型式ＭＢＣ−３０２６Ｒ）を採用できる。測定された光の変化を、制御装置（５）で演算し、脈拍数、動脈血酸素飽和度および脈拍レベルを演算する。脈拍数および動脈血酸素飽和度の演算アルゴリズムは、周知の技術により行う。脈拍レベルは、脈拍の強弱を意味し、適当に決定する。制御装置（５）には、たとえばマイクロコンピューター（日立社製、型式ＨＤシリーズ）を採用できる。
【００２２】
本発明の携帯式医療用測定装置は、図３に示したように、たとえば左手の中指を被検査対象指（Ｆ１）として測定する。被検査対象指（Ｆ１）は、前述のように、人差し指および中指のいずれでもよい。測定は、被検査対象指（Ｆ１）の掌側でメインスイッチ（１４）を押すことにより開始し、表示器（３）、（４）を起動する。同時に、前述のように脈拍数、動脈血酸素飽和度および脈拍レベルを演算して、表示器（３）、（４）に表示する。さらに、メインスイッチ（１４）が再び押されたり、予め設定した一定の時間の経過後に、表示器（３）、（４）を停止するようなプログロムのソフトウェアを内蔵する。
【００２３】
本発明のセンサ（２ａ）、（２ｂ）は、外乱光を受けにくい状態で設置が可能であるが、さらに、外乱光ノイズ防止のために、センサ（２ａ）、（２ｂ）を囲む溝（１１ｅ）部を光の透過し難い材料、たとえば、ガラスフィラー入りポリカーボネート（ＰＥ）樹脂等で覆い、遮光性の高い色の塗料や、被膜の厚い塗料で塗装してもよい。あるいは、センサ（２ａ）、（２ｂ）を溝（１１ｅ）部の表面から窪ませてもよい。
【００２４】
表示器（３）、（４）は、２桁の動脈血酸素飽和度表示欄（３ａ）、３桁の脈拍数表示欄（４ｂ）、○マークからなる脈拍レベル表示欄（４ｃ）が表示可能となるように設計した液晶表示器を使用する。なお、表示器は、一方に１つでもよい。
【００２５】
音声装置（６）は、表示器（８）の起動および停止に合わせて、確認音または音声を発生させたり、測定中に脈拍のタイミングで動作音を発生させる。音声装置（６）には、たとえばブザー（村田製作所製、型式７ＢＢ）を採用できる。
【００２６】
ＲＯＭ（７）は、たとえばマイコン（日立社製、型式Ｈ８／３００Ｌ）を採用でき、前述のような動作を制御装置（５）が実行可能な制御プログラムを記憶する。
【００２７】
図３は、左手に装着した例を示す斜視図である。本発明の携帯式医療用測定装置を装着し、メインスイッチ（１４）を押すと、前述のように、確認音とともに表示器（３）、（４）が起動し、脈拍に合った動作音の後、測定された脈拍数、動脈血酸素飽和度および脈拍レベルが、表示器（３）、（４）に表示される。表示は、装着している間、継続され、一定時間後に表示が消える。あるいは、メインスイッチ（１４）を再び押して、表示を消す。
【００２８】
さらに、ＲＯＭ（７）に、正常な動脈血酸素飽和度の範囲および脈拍数の範囲を記憶させておき、測定値がこの範囲を逸脱した時には、音声装置（６）により警告音または音声を発生させるようにしてもよい。
【００２９】
以上、説明したように、本発明に係る携帯式医療用測定装置は、少なくとも３本の指の間に、互い違いに挟み込むだけで、測定および表示が自動的に開始および終了し、意識して保持する必要がなく、測定の個人差を生じることがない。被検査者にとっても取扱いやすく、利便性が高い。
【００３０】
また、本発明は、動脈血酸素飽和度および脈拍数の測定以外でも、血圧や他の医療検査用の数値を測定する装置としてもよいことは無論である。この場合のセンサは、前述のような光学センサに限らず、たとえば、超音波センサ、圧力センサ、温度センサ、ガスセンサ、赤外線センサなどがある。
【００３１】
【発明の効果】
以上、説明したように、本発明に係る携帯用測定装置は、少なくとも３本の指の間に、互い違いに挟み込むだけで、脈拍数、動脈血酸素飽和度および脈拍レベルが測定可能となる。さらに、装着状態のままでメインスイッチを押すことが可能であり、取扱い性に極めて優れる。
【００３２】
さらに、被検査指が挟まれるという従来のような不快感を受けず、かつ、被検査指の太さに影響されない。したがって、被検査指の動きが制限されないことから、安定した測定値が得られ、測定による個人差を少なくすることが可能である。
【００３３】
さらに、表示器の起動および停止を自動化することが可能であり、メインスイッチを省略することができ、忘れてしまいがちな操作手順を覚える必要がないという極めて顕著な利便性を得ることができる。
【００３４】
また、指の間に挟み込むだけで測定が可能なことから、被検査者が保持する必要がなくなり、意識の無い被検査者の手に装着し、被検査指を他の人が上から押すことにより、メインスイッチを間接的に操作することができて、測定が可能となるなど、取扱い性に極めて優れる。
【００３５】
また、指の付け根近くで測定を行う構造となっているために、被検査指にマニキュアが塗られていたり、マニキュア以外のネールアートが施されていたり、爪が長いように障害がある場合にも、測定が可能である。
【図面の簡単な説明】
【図１】（ａ）は本発明の１実施例を示す斜視図であり、（ｂ）はその平面図、（ｃ）はその背面図である。
【図２】本発明に係る１実施例における制御回路のブロック図である。
【図３】本発明に係る１実施例により左手で測定する状態を示す斜視図である。
【符号の説明】
２ａ、２ｂ  センサ
３、４  表示器
３ａ  動脈血酸素飽和度表示欄
４ｂ  脈拍数表示欄
４ｃ  脈拍レベル表示欄
５  制御装置
６  音声装置
７  ＲＯＭ
１１ａ  左翼部
１１ｂ  右翼部
１１ｃ  蓋
１１ｄ  ストラップ用の取付け部
１１ｅ  溝
１１ｆ  山
１４  メインスイッチ
１８  出力端子
Ｆ１  被検査指
Ｆ２、Ｆ３  両隣の指
【図１】
2004351107.tif 000003
【図２】
2004351107.tif 000004
【図３】
2004351107.tif 000005